(57)【要約】【課題】通常の画像表示等を行うことが可能な状態と、表示面を明るい鏡面として好適に機能させることが可能な状態とを兼備した表示装置、それを備えた電子機器を提供する。【解決手段】本発明に係る液晶表示装置１００は、液晶パネル１４０と、液晶パネル１４０の観察側に配置された反射偏光板１１０と、液晶パネル１４０の背面側に配置された反射偏光板１５０とを備え、反射偏光板１５０は、液晶パネル１４０との間にその他の偏光板を介さずに配設されている。【選択図】    図１
2004170793.tif 000002
【特許請求の範囲】
【請求項１】
透過偏光軸可変手段を備えた表示装置であって、
前記透過偏光軸可変手段の観察側に配置された第１偏光選択手段と、前記透過偏光軸可変手段の背面側に配置された第２偏光選択手段とを有し、
前記第１偏光選択手段は、第１の偏光を透過するとともに、前記第１の偏光の偏光軸に交差する偏光軸を有する第２の偏光を反射し、
前記第２偏光選択手段は、第３の偏光を透過するとともに、前記第３の偏光の偏光軸に交差する偏光軸を有する第４の偏光を反射する構成とされ、
前記透過偏光軸可変手段は、表示モードと鏡モードとを切換可能に構成され、前記表示モードにおいて前記第３の偏光を前記第１の偏光に変換し、前記鏡モードにおいて前記第１の偏光と前記第４の偏光とを相互に変換することを特徴とする表示装置。
【請求項２】
前記透過偏光軸可変手段を出射した偏光が、前記第２偏光選択手段に吸収を伴わずに入射されることを特徴とする請求項１に記載の表示装置。
【請求項３】
前記透過偏光軸可変手段を出射した偏光が、前記第２偏光選択手段に直接入射されることを特徴とする請求項１又は２に記載の表示装置。
【請求項４】
前記第２偏光選択手段は、前記透過偏光軸可変手段との間にその他の偏光選択手段を介さずに配設されていることを特徴とする請求項１ないし３のいずれか１項に記載の表示装置。
【請求項５】
前記第２偏光選択手段は、前記透過偏光軸可変手段の背面側直下に配設されていることを特徴とする請求項１ないし４のいずれか１項に記載の表示装置。
【請求項６】
前記第２偏光選択手段の背面側に、前記観察側に光を出射する照明手段が配設され、前記透過偏光軸可変手段が鏡モードにある場合に、前記照明手段が非点灯とされることを特徴とする請求項１ないし５のいずれか１項に記載の表示装置。
【請求項７】
前記第１偏光選択手段を第１反射型偏光選択手段とし、前記透過偏光軸可変手段と前記第１反射型偏光選択手段との間に、前記第１の偏光を透過するとともに、前記第２の偏光を吸収する第１吸収型偏光選択手段を備える一方、
前記第２偏光選択手段を第２反射型偏光選択手段とし、前記照明手段と前記第２反射型偏光選択手段との間に、前記第３の偏光を透過するとともに、前記第４の偏光を吸収する第２吸収型偏光選択手段を備えることを特徴とする請求項６に記載の表示装置。
【請求項８】
請求項１ないし７のいずれか１項に記載の表示装置を備えたことを特徴とする電子機器。
【発明の詳細な説明】
【０００１】
【発明の属する技術分野】
本発明は、表示装置及び電子機器に関し、特に表示面を鏡状態と画像等を表示する表示状態とに変換可能な表示装置と、これを備えた電子機器とに関するものである。
【０００２】
【従来の技術】
液晶表示装置等の表示装置において、従来から透過表示と反射表示を可能にした半透過反射型の表示装置や、観察側から入射される自然光を利用して明るい表示を可能とする技術を備えた表示装置等が知られている。例えば、特許文献１では、表示の観察側である前側の基板と、この前側基板に対向する後側基板との内面にそれぞれ電極を設け、これら基板間に、液晶分子を１８０°〜２７０°のツイスト角でツイスト配向させた液晶層を備えてなる液晶素子と、該液晶素子の前側に配置され、入射光の互いに直交する２つの偏光成分のうち、一方の偏光成分の光を反射し、他方の偏光成分の光を透過させる反射偏光板と、液晶素子の後側に設けられた反射手段とを備えた構成の半透過反射型の液晶表示装置が開示されている。
【０００３】
【特許文献１】
特開２００２−４９０３０号公報
【０００４】
【発明が解決しようとする課題】
しかしながら、上記液晶表示装置においては、液晶素子の前側に配置した反射偏光板にて反射される偏光成分を利用して、画面全体の明るさを底上げしているが、この場合、自然光のうち少なくとも半分の光しか反射されず、必ずしも反射光を有効に利用しているものではない。また、このような反射偏光板を液晶素子の前側に配置し、該反射偏光板にて反射される光を鏡表示として好適に利用する技術については開示されていない。
【０００５】
本発明は、上述の課題に鑑みなされたもので、通常の画像表示等を行うことが可能な状態と、表示面を明るい鏡面として好適に機能させることが可能な状態とを兼備した表示装置、それを備えた電子機器を提供することを目的とする。
【０００６】
【課題を解決するための手段】
上記目的を達成するために、本発明の表示装置は、透過偏光軸可変手段を備えた表示装置であって、前記透過偏光軸可変手段の観察側に配置された第１偏光選択手段と、前記透過偏光軸可変手段の背面側に配置された第２偏光選択手段とを有し、前記第１偏光選択手段は、第１の偏光を透過するとともに、前記第１の偏光の偏光軸に交差する偏光軸を有する第２の偏光を反射し、前記第２偏光選択手段は、第３の偏光を透過するとともに、前記第３の偏光の偏光軸に交差する偏光軸を有する第４の偏光を反射する構成とされ、前記透過偏光軸可変手段は、表示モードと鏡モードとを切換可能に構成され、前記表示モードにおいて前記第３の偏光を前記第１の偏光に変換し、前記鏡モードにおいて前記第１の偏光と前記第４の偏光とを相互に変換することを特徴とする。
【０００７】
このような表示装置によると、透過偏光軸可変手段の観察側に配置された第１偏光選択手段が第２の偏光を選択的に反射可能に構成されるため、観察側から入射される光のうち第１偏光選択手段にて第２の偏光が反射され、該第２の偏光の反射を利用して鏡表示状態（鏡モード）を得ることが可能となる。一方、例えば第２偏光選択手段を透過して透過偏光軸可変手段に入射した第３の偏光を、該透過偏光軸可変手段にて第１の偏光に変換させることで、該第１の偏光が第１偏光選択手段を透過して表示光として観察側に供され、透過表示状態（表示モード）を得ることが可能となる。ここで、特に鏡表示状態のときに、透過偏光軸可変手段において、第２偏光選択手段を透過して入射した第３の偏光を第２の偏光に変換させるものとすれば、鏡表示状態において背面側から透過される光がなくなり、視認性の高い鏡状態を得ることができる。
また、本発明では、鏡モードの場合に、観察側から入射した自然光のうち、第１偏光選択手段を透過した第１の偏光を、透過偏光軸可変手段にて第４の偏光に変換させることで、この透過した第４の偏光が、第２偏光選択手段にて反射され、再び透過偏光軸可変手段にて第１の偏光に変換され、該第１の偏光が第１偏光選択手段を透過して鏡表示状態に供されることとなる。したがって、単に反射型の偏光選択手段を観察側に配設し、一方向の偏光を反射させて鏡表示状態を得る技術に比して、本発明では他方の偏光も鏡表示に利用するため、例えば自然光の半分以上、原理的には自然光の全てを反射させて鏡表示に供させることが可能となり、明るい鏡状態を得ることが可能となる。
なお、本発明において、第１の偏光と、第３の偏光又は第４の偏光とは、同一方向の偏光軸であってもよく、同じく、第２の偏光と、第３の偏光又は第４の偏光とは同一方向の偏光軸であってもよい。すなわち、例えば「透過偏光軸可変手段にて第１の偏光を第４の偏光に変換させる」ことは、必ずしも偏光軸を変換するものではなく、第１の偏光と第４の偏光の偏光軸が同一方向である場合は、偏光軸の変換を伴わないことを意味している。
【０００８】
本発明の表示装置では、前記透過偏光軸可変手段を出射した偏光が、前記第２偏光選択手段に吸収を伴わずに入射されるものとすることで、上述した鏡モードにおいて透過偏光軸可変手段を出射した偏光（第４の偏光）の反射量を高めることが可能となり、一層明るい鏡表示を得ることが可能となる。また、好ましくは透過偏光軸可変手段を出射した偏光が、前記第２偏光選択手段に直接入射されるものとするのが良く、この場合、さらに確実に第４の偏光の反射量を高めることが可能となる。
【０００９】
また、本発明の表示装置では、前記第２偏光選択手段は、前記透過偏光軸可変手段との間にその他の偏光選択手段を介さずに配設されていることが好ましい。例えば透過偏光軸可変手段と第２偏光選択手段との間に吸収型の偏光選択手段が介在されると、該吸収型偏光選択手段にて第４の偏光の少なくとも一部が吸収され、相対的に第２偏光選択手段での反射量が低減する場合があるが、上記のように透過偏光軸可変手段との間に他の偏光選択手段を介さずに配設することで、反射率を高めることが可能となる。なお、第２偏光選択手段は、前記透過偏光軸可変手段の背面側直下に配設されていることが好ましく、この場合、さらに確実に第４の偏光の反射量を高めることが可能となる。
【００１０】
本発明の表示装置においては、前記第２偏光選択手段の背面側に、前記観察側に光を出射する照明手段が配設され、前記透過偏光軸可変手段が鏡モードにある場合に、前記照明手段が非点灯とされるものとすることができる。この場合、照明手段により、表示モードにおける画像等の表示状態を確実に確保可能となる一方、照明手段の非点灯時には背面側からの透過光がなくなるため、視認性の高い鏡表示状態が得られるとともに、消費電力の低減に繋がることとなる。このように照明手段と透過偏光軸可変手段の作動を同期させることで、鏡表示状態の視認性及び明るさが一層高まることとなる。なお、この場合、第４の偏光と交差する偏光軸を有する第３の偏光は、透過偏光軸可変手段にて、第２の偏光に変換され、第２偏光選択手段を透過した第３の偏光が、第１偏光選択手段を透過することがなくなり、鏡表示状態において透過光が表示されてしまう等の不具合発生が防止されている。
【００１１】
また、前記第１偏光選択手段を第１反射型偏光選択手段とし、前記透過偏光軸可変手段と前記第１反射型偏光選択手段との間に、前記第１の偏光を透過するとともに、前記第２の偏光を吸収する第１吸収型偏光選択手段を備える一方、前記第２偏光選択手段を第２反射型偏光選択手段とし、前記照明手段と前記第２反射型偏光選択手段との間に、前記第３の偏光を透過するとともに、前記第４の偏光を吸収する第２吸収型偏光選択手段を備えるものとすることができる。この場合、第１及び第２吸収型偏光選択手段を設けたため、偏光選択度を向上させることができ、特に透過光を利用した表示モードにおける表示のコントラストを高めることが可能となる。
【００１２】
なお、本発明の表示装置において、透過偏光軸可変手段は電気光学パネル、好ましくは液晶を用いた液晶パネルにて構成することができる。このように液晶パネル等の電気光学パネルを透過偏光軸可変手段として含んで表示装置を構成することで、薄型構造が可能になり、携帯機器などにも適用可能な表示装置が実現できる。
【００１３】
次に、本発明の表示装置においては、上記第１偏光選択手段における観察側の表面が平坦であることが好ましい。第１偏光選択手段の観察側の表面が平坦であることにより、鏡モードの鏡面状態をより良好に実現できるとともに、表示モードにおいも観察者の目に入る外光の正反射光以外の散乱光を低減することができるため、表示状態における視認性を向上させることができる。
【００１４】
また、上記第１偏光選択手段における観察側の表面上に透明な保護膜が形成されていることが望ましい。これにより、第１偏光選択手段の観察側の表面に直接、傷が生じたり塵埃が付着したりすることを防止することができる。この場合には、保護膜の表面に硬化処理が施されているか、或いは、透明な硬質膜が形成されていることが望ましい。
【００１５】
また、上記第１偏光選択手段よりも背面側にカラーフィルタが配置されていることが好ましい。第１偏光選択手段よりも背面側にカラーフィルタを配置することで、表示モードにおいてカラー表示が可能となる。なお、より明るい鏡表示を得るためには、このカラーフィルタは形成しない方が好ましい。
【００１６】
さらに、上記第１偏光選択手段と上記透過偏光軸可変手段の間に位相差板が配置されていることが好ましい。この位相差板は、色付きなどを低減する光学補償板、或いは視野角特性を改善する視角補償板として用いることができる。
【００１７】
次に、本発明の電子機器は上記記載の表示装置を備えたことを特徴とする。このような電子機器によると、鏡モードと表示モードとを切換可能となり、特に携帯用途として、例えば携帯電話の表示部に上記表示装置を適用することで、鏡モードにおいては化粧時のコンパクトに代用することができる。
【００１８】
【発明の実施の形態】
以下、図面により、本発明の実施の形態について説明する。なお、以下の全ての図面においては、図面を見やすくするため、各構成要素の膜厚や寸法の比率などは適宜異ならせてある。
【００１９】
［第１実施形態］
図１は本発明の表示装置の一実施形態としての液晶表示装置の概略構成を示す断面図である。図１に示す液晶表示装置１００においては、観察側（図示上側）から、反射偏光板１１０、吸収偏光板１２０、位相差板１３０、液晶パネル１４０、反射偏光板１５０、吸収偏光板１７０、バックライト１６０が順次配置されている。
【００２０】
反射偏光板１１０は、反射型偏光選択手段として構成され、その透過偏光軸（紙面と平行方向）と平行な振動面を有する偏光成分（第１の偏光）を透過し、透過偏光軸と交差する（好ましくは直交する）方向に平行な振動面を有する偏光成分（第２の偏光）を反射するものである。反射偏光板としては、国際出願公開ＷＯ９５／２７９１９号に記載された、複数種類の相互に異なる複屈折性高分子フィルムを積層した積層体、或いはコレステリック液晶の表裏に１／４波長板を配置したものなどを用いることができる。上記積層体としては、３Ｍ社により提供されるＤＢＥＦ（商品名）を例示できる。
【００２１】
また、反射偏光板１５０も反射偏光板１１０と同様に構成され、その透過偏光軸（紙面と垂直方向）と平行な振動面を有する偏光成分（第３の偏光）を透過し、透過偏光軸と交差する（好ましくは直交する）方向に平行な振動面を有する偏光成分（第４の偏光）を反射するものである。なお、反射偏光板１１０と反射偏光板１５０は、液晶表示装置１００の構成上必要な配置、例えば液晶パネル１４０が９０°ツイスト角を有するＴＮ液晶セルである場合には、透過偏光軸が交差する配置、すなわち直交ニコル配置に設定される。したがって、本実施形態では、第１の偏光と第４の偏光とが同方向の偏光軸を備え、第２の偏光と第３の偏光とが同方向の偏光軸を備えるものとしている。
【００２２】
吸収偏光板１２０としては、その偏光透過軸（紙面と平行方向）と平行な振動面を有する偏光成分を透過し、偏光透過軸と交差する（好ましくは直交する）方向に平行な振動面を有する偏光成分を吸収する公知の吸収型偏光板が用いられ、その偏光透過軸が反射偏光板１１０の偏光透過軸と一致するように配置されている。
【００２３】
また、吸収偏光板１７０も吸収偏光板１２０と同様の吸収型偏光板にて構成され、その偏光透過軸（紙面と垂直方向）が反射偏光板１５０の偏光透過軸と一致するように配置されている。したがって、吸収偏光板１２０と吸収偏光板１７０は、液晶表示装置１００の構成上必要な配置、この場合には、透過偏光軸が交差する配置、すなわち直交ニコル配置に設定される。
【００２４】
なお、反射偏光板１１０の偏光透過軸と吸収偏光板１２０の偏光透過軸との交差角、および反射偏光板１５０の偏光透過軸と吸収偏光板１７０の偏光透過軸との交差角は必ずしも０°である必要はないが、交差角が大きくなるに従って表示のコントラストは低下するので、例えば交差角が１５°以下であることが好ましく、特に５°以下であることが好ましい。
【００２５】
ここで、光学的には吸収偏光板１２０及び吸収偏光板１７０は省略することができる。ただし、一般に反射偏光板１１０，１５０の偏光選択度（入射した自然光に対する透過光中の、偏光透過軸に平行な振動面を有する偏光成分の割合）は吸収型の偏光板に比べて低いため、吸収偏光板１２０，１７０を省略すると、バックライト１６０からの透過光を利用した表示モードにおけるコントラストが低下する。
【００２６】
位相差板１３０は、特に液晶パネル１４０がＳＴＮモードである場合には、バックライト１６０からの透過光を利用した表示の着色を低減するための光学補償板として機能する。また、液晶表示の視野角依存性を向上させる視角補償板として機能するように構成することもできる。なお、位相差板１３０を設けなくても表示自体は可能である。
【００２７】
液晶パネル１４０は、ガラスやプラスチック等の透明基板で構成される２枚の基板１４１，１４２を含んで構成され、基板間の電圧変化に基づいて当該液晶表示装置１００を表示モードと鏡モードとの間で切換可能にする制御手段として構成されている。すなわち、液晶パネル１４０は透過偏光軸可変手段として機能するものであって、例えば表示モードにおいては、該液晶パネルをオフ状態として、バックライト１６０から吸収偏光板１７０，反射偏光板１５０を透過して当該液晶パネル１４０に入射した所定の偏光軸を有する偏光成分（第３の偏光）について、液晶パネル１４０にてその偏光軸を変換させつつ透過させ、第１の偏光として吸収偏光板１２０、反射偏光板１１０を透過させることにより、透過光Ｔとして表示に寄与させることができる。
【００２８】
一方、例えば鏡モードにおいては、バックライト１６０を非点灯とすることが好ましいが、該バックライト１６０を点灯した場合にも、偏光板１５０，１７０を透過して、当該液晶パネル１４０に入射した所定の偏光軸を有する偏光（第３の偏光）を、液晶パネル１４０にて偏光軸の変換を伴わずに透過させ、この透過光を第３の偏光（すなわち第２の偏光）として吸収偏光板１２０で吸収させ、若しくは反射偏光板１１０で反射させることにより、鏡モードにおいて透過光が表示されることを回避している。そして、このとき観察側から入射する外光Ｏのうち第２の偏光が反射偏光板１１０にて反射され、その反射光Ｒが鏡表示に寄与することとなる。
【００２９】
次に、基板１４１の内面上にはカラーフィルタ１４４が形成され、カラーフィルタ１４４には、例えば赤、緑、青等の複数色の着色層が、所定の配列パターン（ストライプ配列、デルタ配列、斜めモザイク配列など）で配列されている。これらの着色層は透明な保護膜で覆われることが好ましい。
【００３０】
また、カラーフィルタ１４４上には、ＩＴＯ等で構成された透明電極１４５が上記着色層の配列に対応した配列で形成されている。透明電極１４５上にはポリイミド樹脂等で構成される配向膜１４６が形成されている。また、基板１４２の内面上には、上記と同様の透明電極１４７及び配向膜１４８が形成されている。
【００３１】
上記のパネル構造においては、パネル構造を構成する一対の基板が、その素材としてガラス（石英を含む）を用いたもの、樹脂（プラスチック）を用いたもの、或いは一方にガラス、他方に樹脂を用いたもののいずれであっても良い。特に、基板の素材として樹脂材料を用いることによって装置の薄型化を図ることができるとともに、耐衝撃性の向上を図ることができる。
【００３２】
上記の基板１４１，１４２は、シール材１４３を介して貼り合わせられ、その内部に液晶１４９が封入されている。このようにして構成された液晶パネル１４０の液晶モードとしては、ＴＮ（Ｔｗｉｓｔｅｄ  Ｎｅｍａｔｉｃ）モード、ＳＴＮ（Ｓｕｐｅｒ  Ｔｗｉｓｔｅｄ  Ｎｅｍａｔｉｃ）モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード等が好ましい。これらの液晶モードによる表示方法においては、いずれも偏光板を用いて表示態様を実現するように構成されているため、比較的低い駆動電圧で高い表示品位を得ることができ、特に携帯型電子機器に搭載する場合に望ましい。
【００３３】
また、液晶パネル１４０の駆動モードとしては、ＴＦＴ（Ｔｈｉｎ  Ｆｉｌｍ  Ｔｒａｎｓｉｓｔｏｒ）やＴＦＤ（Ｔｈｉｎ  Ｆｉｌｍ  Ｄｉｏｄｅ）等の能動素子を用いたアクティブマトリクス駆動等のアクティブ駆動モードと、上記のような能動素子を用いない単純駆動若しくはマルチプレックス駆動等のパッシブ駆動モードのいずれであってもよい。
【００３４】
バックライト１６０は、背後から液晶パネル１４０に対して略均一な照度で照明を行うことができるものである。具体的には、導光板１６２と、この導光板１６２の端面部に配置された光源１６１とを含む端面発光型のバックライトが適用されている。導光板１６２には、光源１６１から導入された光を液晶パネル１４０側に略均一に導くための金属層や印刷層などの光反射要素若しくは光散乱要素１６３が設けられている。なお、端面発光型以外にも、導光板と、この導光板の背面に配置された光源とを含む背面発光型のバックライトなどを適用することも可能である。
【００３５】
本実施形態において、吸収偏光板１２０、位相差板１３０、液晶パネル１４０、反射偏光板１５０、吸収偏光板１７０及びバックライト１６０は、反射偏光板１１０に対して所定の偏光軸を備えた偏光（第１の偏光）のみを出射する表示手段として機能している。バックライト１６０からの透過光を利用した表示が行われる表示モードにおいては、液晶パネル１４０内に構成された複数の画素についてそれぞれ第１の偏光の出射の有無、若しくは第１の偏光の出射量が制御され、その結果、所定の表示画像が構成される。
【００３６】
本実施形態の液晶表示装置１００では、バックライト１６０を点灯状態とし、液晶パネル１４０の各透明電極１４５，１４７の間に印加する電圧を制御することにより、吸収偏光板１２０、位相差板１３０、液晶パネル１４０、反射偏光板１５０、吸収偏光板１７０により構成される液晶表示装置で所定の表示を行うことによって、吸収偏光板１２０から出射される光が反射偏光板１１０を透過して視認される表示モードを実現することができる。一方、上記の液晶表示装置をオフ状態（光遮断状態）にする、すなわち液晶表示装置の全画素を光遮断状態とするか、或いはバックライト１６０を非点灯状態とすることによって、表示面が鏡のように視認される鏡モードを実現することができる。
【００３７】
液晶表示装置１００には、通常の使用状態において外光Ｏが観察側から入射するが、その外光Ｏのうち、反射偏光板１１０の偏光透過軸と平行な振動面を有する偏光成分は反射偏光板１１０を透過して内部に導入され、反射偏光板１１０の偏光透過軸と直交する振動面を有する偏光成分は反射偏光板１１０により反射され、反射光Ｒ’として観察側に戻る。一方、バックライト１６０から放出された照明光は、偏光板１５０を通過して直線偏光になり、液晶パネル１４０にてその偏光状態が変換されるか、或いはそのまま変換されることなく通過し、偏光板１２０においてその偏光透過軸に平行な振動面を有する偏光成分のみが出射される。この偏光成分は、反射偏光板１１０もそのまま透過し、観察側において視認される。したがって、液晶表示装置が所定の表示画像を表示する状態にあれば、その表示画像に応じて形成される透過領域において、光は透過し、反射偏光板１１０を透過して透過光Ｔとして視認される。
【００３８】
ここで、表示モードにおいては、上記透過光Ｔによって所定の表示画像が視認されるが、そのとき、外光Ｏに起因する反射光Ｒが存在するため、表示画像の視認性が低下するように思われる。しかし、外光Ｏは通常、主としてユーザ（観察者）の観察方向とは異なる方向から液晶表示装置１００に入射するので、反射偏光板１１０にて生ずる反射光Ｒ（正反射光）のうちユーザの目に直接入射する光量は少なく、大部分はユーザの目とは異なる方向に反射されていく。したがって、透過光Ｔが十分に強ければ、反射光Ｒによる表示画像の視認性の低下は限定されたものとなる。
【００３９】
一方、鏡モードにおいては、液晶表示装置が光遮断状態となることにより、或いはバックライト１６０が非点灯状態となることにより、透過光Ｔは殆ど存在しなくなるため、その分、反射光Ｒが強く感じられることとなり、表示面全体が鏡状に視認される。なお、鏡モードを構成する場合、液晶表示装置を光遮断状態にするとともに、バックライト１６０を非点灯状態にすることが好ましい。このようにすると、光漏れをほぼ完全に防止することができるため、透過光Ｔをさらに低減することが可能となり、より良好な鏡面状態を得ることができる。
【００４０】
また、上述したように鏡モードにおいて、外光Ｏのうち、反射偏光板１１０の偏光透過軸と直交する振動面を有する偏光成分は反射偏光板１１０により反射され、反射光Ｒとして観察側に戻るが、反射偏光板１１０の偏光透過軸と平行な振動面を有する偏光成分は反射偏光板１１０を透過して内部に導入される。したがって、反射偏光板１１０にて反射される偏光成分Ｒ（外光Ｏのうち約半分）を利用して鏡表示を構成する場合には、当該鏡表示の明るさが半減することとなる。しかしながら、本実施形態では、反射偏光板１１０を透過した偏光成分（第１の偏光）を、鏡モードでは液晶パネル１４０にて偏光軸方向を変換することなく、該液晶パネル１４０の直下に配設された反射偏光板１５０に出射させ、該第１の偏光（第４の偏光と偏光軸が同軸方向）を反射偏光板１５０にて反射し、これを再び第１の偏光として反射偏光板１１０から出射させている（反射光Ｒ’）。その結果、本実施形態では、鏡モードにおいて明るい鏡表示を得ることが可能となる。なお、反射偏光板１５０は、必ずしも液晶パネル１４０の直下に配設する必要はなく、液晶パネル１４０との間にその他の偏光板を介さずに、該液晶パネル１４０の背面側に配設されていれば、上述した偏光成分（外光Ｏのうち反射偏光板１１０を透過した偏光成分）の再利用を実現することが可能である。
【００４１】
次に、本実施形態の液晶表示装置１００においては、反射偏光板１１０の観察側の表面は平坦であることが望ましい。反射偏光板１１０の観察側の表面が平坦であれば、上記鏡面状態をより良好に構成でき、鏡としての品位を高めることができるとともに、表面が平坦でない場合に生じ得る、表示モードにおいて光強度の高い外光Ｏの正反射光がユーザの目に入り易くなるといった事態が発生しなくなるため、表示画像の視認性の低下を防止できる。上記表面は、特に可視光領域において光学的に平坦（オプティカルフラット）であることが好ましい。
【００４２】
また、本実施形態の液晶表示装置１００においては、液晶パネル１４０に用いる基板１４１，１４２を厚さ５０μｍ〜５００μｍ程度の出来る限り薄いものが好ましい。すなわち、液晶表示装置１００では、反射偏光板１５０にて光を反射させて鏡表示に供させているため、上側の反射偏光板１１０と下側の反射偏光板１５０との距離を小さくすれば散乱等の少ない綺麗な鏡表示を得ることができるようになる。なお、反射偏光板１５０は液晶パネル１４０の内面、具体的には基板１４１の内面に設けることも可能で、これにより上側の反射偏光板１１０との距離が一層小さくなる。さらに、バックライト１６０から出射される光は、正面方向により出射強度が強いことが望まく、この場合、透過光Ｔの明るさを一層高めることが可能となる。
【００４３】
［第２実施形態］
次に、図２を参照して、本発明に係る第２実施形態の液晶表示装置について説明する。この第２実施形態では、第１実施形態と同様の構成要素には同一符号を付し、それらの説明は省略する。本実施形態では、観察側から順に、反射偏光板１１０、吸収偏光板１２０、位相差板１３０、液晶パネル１４０、反射偏光板１５０、吸収偏光板１７０、バックライト１６０が配置されているが、さらに、反射偏光板１１０の観察側の表面上に、透明な保護膜１１１が形成されている。
【００４４】
保護膜１１１は、アクリル樹脂、ＳｉＯ２、ＴｉＯ２などの薄膜で構成できる。特に、ＳｉＯ２、ＴｉＯ２などの無機ガラスと同等以上の硬度を有する硬質保護膜であることが好ましい。保護膜は透明な素材で構成されたフィルムやシートなどを貼着したものであってもよく、反射偏光板１１０の表面上に、塗布、蒸着、スパッタリング等により直接成膜したものであってもよい。
【００４５】
このように本実施形態の液晶表示装置では、反射偏光板１１０の観察側の表面上に透明な保護膜１１１が形成されているため、反射偏光板１１０の表面に傷が付いたり、異物が付着したりすることを防止ないし抑制することが可能となり、特に鏡面状態を良好に構成することが可能となる。
【００４６】
なお、第１、第２実施形態の液晶表示装置において、バックライト１６０と吸収偏光板１７０との間に、拡散フィルム、プリズムシート等を設けることもできる。この場合、バックライト１６０からの透過光による表示において正面方向の輝度を向上させることが可能となる。
【００４７】
［第３実施形態］
次に、図３を参照して、本発明に係る第３実施形態の液晶表示装置について説明する。この第３実施形態では、第１実施形態と同様の構成要素には同一符号を付し、それらの説明は省略する。本実施形態では、観察側から順に、反射偏光板１１０、吸収偏光板１２０、位相差板１３０、液晶１４９と反射偏光板１５０とカラーフィルタ１４４とを含む液晶パネル１４０、吸収偏光板１７０、バックライト１６０が配置されている。すなわち、第１実施形態とは異なり、反射偏光板１５０が液晶パネル１４０の内部に配設された構成をなしている。
【００４８】
本実施形態では、鏡モードにおける反射光が、液晶パネル１４０の外面観察側に形成された反射偏光板１１０による反射光Ｒと、液晶パネル１４０の内部に形成された反射偏光板１５０による反射光Ｒ’とを含んでいる。すなわち、２枚の反射偏光板１１０，１５０にて反射光が生成されるため、明るい鏡表示が実現される一方、第１実施形態に比して、内部側の反射偏光板１５０を液晶パネル１４０の内面に配設したため、視差の少ない明るい鏡表示を実現可能となっている。また、カラーフィルタ１４４を反射偏光板１５０の背面側に配設したため、カラー透過表示と、着色の少ない明るい鏡表示が可能となった。
【００４９】
なお、上記各実施形態の液晶表示装置においては、液晶オン状態において鏡モードを実現するものとしたが、反射偏光板１５０と吸収偏光板１７０の透過偏光軸を観察側の反射偏光板１１０と吸収偏光板１２０の透過偏光軸と平行な方向に設定することで、液晶オフ状態において鏡モードを、液晶オン状態において透過表示モードを実現することが可能である。また、液晶１７９のモードを適宜変更することで、液晶のオン、オフ状態に対応して鏡、透過表示のいずれかを設定することが可能である。
【００５０】
［第４実施形態］
次に、図４を参照して、本発明に係る第４実施形態の電子機器について説明する。本発明の電子機器の一実施形態たる携帯電話１０００は、本体部１００１と、表示体部１００２とを有し、表示体部１００２の内部に上記液晶表示装置１００が配置され、表示体部１００２にて表示画面１００３を視認できるように構成されている。このような携帯電話１０００によると、各種操作や各種状況に応じて、表示画面１００３において、表示モードによる所定の表示画面や、鏡モードによる明るい鏡面を視認することできるようになる。
【００５１】
以上、本発明の表示装置に係る液晶表示装置、及び本発明の電子機器に係る携帯電話の実施形態をそれぞれ示したが、本発明はこれに限定されるものではなく、本発明の要旨を逸脱しない範囲内において種々の変更を加えることが可能である。例えば、上述した実施形態では、反射偏光板１１０と反射偏光板１５０の透過偏光軸を直交配置させたが、液晶パネルの設計を変更することにより、反射偏光板１１０と反射偏光板１５０の透過偏光軸を平行配置させることも可能である。
【図面の簡単な説明】
【図１】本発明の第１実施形態の液晶表示装置の概略構成を示す断面図。
【図２】本発明の第２実施形態の液晶表示装置の概略構成を示す断面図。
【図３】本発明の第３実施形態の液晶表示装置の概略構成を示す断面図。
【図４】本発明の第４実施形態の電子機器の概略構成を示す斜視図。
【符号の説明】
１００  液晶表示装置（表示装置）、１１０  反射偏光板、１２０  吸収偏光板、１４０  液晶パネル、１５０  反射偏光板、１６０  バックライト、１７０吸収偏光板
【図１】
2004170793.tif 000003
【図２】
2004170793.tif 000004
【図３】
2004170793.tif 000005
【図４】
2004170793.tif 000006